(57)【要約】【課題】  タグ部品を蟹などの被装着物に簡単かつ能率よく取り付けることができる上、被装着物の損傷も軽減できるタグ部品の取付装置及びこの装置に適用されるテーピング部品を提供すること。【解決手段】  第１，第２の操作レバー１，１０の閉成動作時には、第２の操作レバーの押込部１２がドラム構体２０に接近してドラム構体上のテーピング部品におけるタグ部品を被装着物に取り付けるように動作すると共に、リンク機構の動作に応じて送りレバー構体４０の移送手段４４が一定角度だけ後退するように回転動作し、又、第１，第２の操作レバーの開放動作時には、第２の操作レバーの押込部がドラム構体から離れるように動作すると共に、リンク機構の動作に応じて送りレバー構体の移送手段がテーピング部品を押しながら一定角度だけ前進動作するように構成した。【選択図】  図１
2008105713.tif 000002
【特許請求の範囲】
【請求項１】
一端に操作部を有する第１の操作レバーと、一端に操作部を、他端に押込部をそれぞれ有し、かつ第１の操作レバーに一定の角度範囲で回転可能なるように軸支された第２の操作レバーと、第１の操作レバーの他端に固定されたドラム構体と、ドラム構体に一定の角度範囲で回転可能なるように軸支され、かつ回転動作に基づいてドラム面に位置する複数のタグ部品を搭載してなるテーピング部品を一定方向に移送する移送手段を有する送りレバー構体と、第２の操作レバーの回転動作を送りレバー構体に伝達するリンク機構とを具備し、前記第１，第２の操作レバーの操作部による相対的な閉成動作の際には、第２の操作レバーの押込部がドラム構体に接近し、ドラム構体を経由して供給されるテーピング部品におけるタグ部品を被装着物に取り付けるように動作すると共に、リンク機構の動作に応じて送りレバー構体の移送手段が一定角度だけ後退するように回転動作し、第１，第２の操作レバーの操作部による相対的な開放動作の際には、第２の操作レバーの押込部がドラム構体から離れるように動作すると共に、リンク機構の動作に応じて送りレバー構体の移送手段がテーピング部品を押しながら一定角度だけ前進動作するように構成したことを特徴とするタグ部品の取付装置。
【請求項２】
一端に操作部を有する第１の操作レバーと、一端に操作部を、他端に押込部をそれぞれ有し、かつ第１の操作レバーに一定の角度範囲で回転可能なるように軸支された第２の操作レバーと、第１の操作レバーの他端に固定されたドラム構体と、第１の操作レバーに回転可能なるように軸支され、かつ一端に第２の操作レバーの回転動作に応じて回転が付与される回転付与部を、他端にガイド部をそれぞれ設けた駆動レバーと、駆動レバーに対して立体的な位置関係を有するようにドラム構体に回転可能に軸支され、一端に駆動レバーのガイド部に係合され、駆動レバーの回転動作に応じて回転が付与されるガイドピンを、他端にドラム構体に位置する複数のタグ部品を搭載してなるテーピング部品を一定方向に移送する移送手段をそれぞれ設けた送りレバー構体とを具備し、前記第１，第２の操作レバーの操作部による相対的な閉成動作の際には、第２の操作レバーの押込部がドラム構体に接近し、ドラム構体を経由して供給されるテーピング部品におけるタグ部品を被装着物に取り付けるように動作すると共に、駆動レバーの動作に応じて送りレバー構体の移送手段が一定角度だけ後退するように回転動作し、第１，第２の操作レバーの操作部による相対的な開放動作の際には、第２の操作レバーの押込部がドラム構体から離れるように動作すると共に、駆動レバーの動作に応じて送りレバー構体の移送手段がテーピング部品を押しながら一定角度だけ前進動作するように構成したことを特徴とするタグ部品の取付装置。
【請求項３】
一端に操作部を有する第１の操作レバーと、一端に操作部を、他端に押込部をそれぞれ有し、かつ第１の操作レバーに一定の角度範囲で回転可能なるように軸支された第２の操作レバーと、第１の操作レバーの他端に固定されたドラム構体と、第１の操作レバーに回転可能なるように軸支され、かつ一端に第２の操作レバーの回転動作に応じて回転が付与される回転付与部を、他端にガイド部をそれぞれ設けた駆動レバーと、駆動レバーに対して立体的な位置関係を有するようにドラム構体に回転可能に軸支され、一端に駆動レバーのガイド部に係合され、駆動レバーの回転動作に応じて回転が付与されるガイドピンを、他端にドラム構体に位置する複数のタグ部品を搭載してなるテーピング部品を一定方向に移送する移送手段をそれぞれ設けた送りレバー構体と、一端が第１の操作レバーに回転可能なるように軸支された分離部材と、所望部分が第２の操作レバーに回転可能なるように軸支され、軸支部分に近い部分が分離部材の他端部分と回転可能なるように軸支され、先端部分が第２の操作レバーの押込部の回転移動方向と逆方向になるように動作する押上部材と、分離部材及び押上部材の軸支部分と第１の操作レバーとの間に張設されたスプリングとを具備し、前記スプリングのスプリング力に抗した、第１，第２の操作レバーの操作部による相対的な閉成動作の際には、第２の操作レバーの押込部がドラム構体に接近すると同時に分離部材がドラム構体を経由して移送されるテーピング部品のタグ部品間に挿入され、かつ被装着物にタグ部品が、押上部材による押し上げ動作，押込部による押し込み動作によって取り付けられると共に、駆動レバーの動作に応じて送りレバー構体の移送手段が一定角度だけ後退するように回転動作し、第１，第２の操作レバーの操作部による相対的な開放動作の際には、第２の操作レバーの押込部，分離部材，押上部材がそれぞれドラム構体から離れるように動作すると共に、駆動レバーの動作に応じて送りレバー構体の移送手段がテーピング部品を押しながら一定角度だけ前進動作するように構成したことを特徴とするタグ部品の取付装置。
【請求項４】
前記ドラム構体は、周面にテーピング部品の移動経路を有する半ドラム状のドラム部材と、ドラム部材の側面に固定された側板と、側板の端部に設けられた送りレバー構体の移送手段をガイドするための開口部と、開口部の後方部分に配置されたテーピング部品の戻り防止用の防止手段とから構成されていることを特徴とする請求項１〜３に記載のタグ部品の取付装置。
【請求項５】
前記第１の操作レバーのドラム構体への固定部分の外側部分に平板状のストッパーを固定し、ドラム構体を経由して移送されるテーピング部品の停止位置を規制するように構成したことを特徴とする請求項１〜３に記載のタグ部品の取付装置。
【請求項６】
前記第１の操作レバーに、閉成動作時に第２の操作レバーの押込部とテーピング部品との間隔が適正化されるように第１のストッパーを設けると共に、第２の操作レバーに、開放動作時に第１，第２の操作レバーにおける操作部の間隔が適正な間隔となるように第２のストッパーを設けたことを特徴とする請求項１〜３に記載のタグ部品の取付装置。
【請求項７】
前記ドラム構体に複数の防止手段を、ドラム部材の周面に沿うように離隔して配置すると共に、送りレバー構体に複数の移送手段をドラム部材の周面に沿うように離隔して配置したことを特徴とする請求項１〜３に記載のタグ部品の取付装置。
【請求項８】
バンドの一端にくさび鋲を、他端にくさび鋲を受け入れるロック機能を有するくさび鋲受部をそれぞれ一体的に形成すると共に、くさび鋲とくさび鋲受部との間のバンド部分に表示部を有するタグを一体的に形成してなる複数のタグ部品を長尺状のテープに整列した状態で接着したことを特徴とするテーピング部品。
【請求項９】
前記複数のタグ部品を長尺状のテープに、密着又は１個飛びに整列した状態で接着したことを特徴とする請求項８に記載のテーピング部品。
【発明の詳細な説明】
【技術分野】
【０００１】
本発明はタグ部品の取付装置及びテーピング部品に関し、特に海産物例えば蟹の爪に産地，漁港名，船名などを表示したタグを取り付ける取付装置及びそれに用いるテーピング部品の改良に関する。
【背景技術】
【０００２】
一般に、特定の海産物，水産物などには、産地によってそれぞれの特色がある。特に、蟹は産地によって呼び名が異なり、そのブランド性，価値も様々に異なっている。
従って、産地のブランド維持、向上のために、例えば出荷される蟹には産地，漁港名，船名などを表示したタグ部品を取り付けることが慣行されている。
このタグ部品は一度取り付けると取り外すことはできず、仮に取り外しても二度と使用できないために、産地のブランド維持に貢献できるという効果が期待できる。
【０００３】
このようなタグ部品としては、例えば図２１〜図２２に示す構造のものが広く使用されている。同図において、タグ部品Ａは樹脂材によって一体的に成形されており、例えば一部に肉薄部Ｂを有するバンドＣと、バンドＣの一端に形成されたくさび鋲Ｄと、バンドＣの他端に形成されたくさび鋲受部Ｅと、肉薄部Ｂに隣接するバンド部分（Ｃ）に形成されたタグＦとから構成されている。特に、くさび鋲受部Ｅの内部には、例えば４個のロック爪Ｅａが形成されており、くさび鋲Ｄがくさび鋲受部Ｅに挿入されると、くさび鋲Ｄがロック爪Ｅａに引っ掛り、挿入方向と反対方向に引っ張っても外れることはない。従って、外す場合には、バンドＣとくさび鋲Ｄとの連結部分をカッターなどによって切断することになるが、このタグ部品は二度と使用することはできない。
又、タグ部品Ａにおいて、タグＦには産地，漁港名，船名などがタグ部品の樹脂成形時に同時に成形・表示される。
このように構成されたタグ部品Ａは、図２３に示すように、例えば蟹の爪Ｇに手作業によって取り付けられる。
【発明の開示】
【発明が解決しようとする課題】
【０００４】
上述のタグ部品の蟹への取り付けは、通常、漁港内において行われている。この作業は、まず蟹を収容ケースから一匹づつ取り出し一方の手に持ったタグ部品を蟹にあてがい、他方の手でくさび鋲をくさび鋲受部に挿入・ロックすることによって行われている。
しかし乍ら、タグ部品は、サイズが例えば３〜４ｃｍと小さいために、取り付け作業が面倒であり、迅速に作業を遂行することが難しいという問題がある。
又、この作業は漁港に水揚げされてからセリが開始されるまでの間に終了させなければならず、時間的な余裕もないために、人海戦術で行われている。このように切迫した状態下で作業が進められる関係で、作業が雑になり易く、蟹を収容ケースから取り出す際、タグ部品を取り付ける際、取り付けた後に再び別の収容ケースに収容する際などに蟹が損傷され、商品としての価値が損なわれ易くなるという問題もある。
【０００５】
従って、このような問題を解決するために、タグ部品の取り付け作業を漁船で行うことが試みられている。これによれば、漁船への水揚げの都度、蟹にタグ部品を取り付け、タグ部品の取り付けの完了した蟹のみが収容ケースに収容されるために、蟹の損傷は軽減される。
しかし乍ら、厳冬期などにおいては、作業者は防寒対策として厚手の手袋を着用するために、小さなタグ部品を厚手の手袋で把持すること自体が難しいのみならず、それを手際よく蟹の爪に取り付けることはさらに難しいという問題が依然として残されている。
それ故に、本発明の目的は、タグ部品を蟹などの被装着物に簡単かつ能率よく取り付けることができる上に、被装着物の損傷も軽減できるタグ部品の取付装置及びテーピング部品を提供することである。
【課題を解決するための手段】
【０００６】
従って、本発明は上述の目的を達成するために、一端に操作部を有する第１の操作レバーと、一端に操作部を、他端に押込部をそれぞれ有し、かつ第１の操作レバーに一定の角度範囲で回転可能なるように軸支された第２の操作レバーと、第１の操作レバーの他端に固定されたドラム構体と、ドラム構体に一定の角度範囲で回転可能なるように軸支され、かつ回転動作に基づいてドラム面に位置する複数のタグ部品を搭載してなるテーピング部品を一定方向に移送する移送手段を有する送りレバー構体と、第２の操作レバーの回転動作を送りレバー構体に伝達するリンク機構とを具備し、前記第１，第２の操作レバーの操作部による相対的な閉成動作の際には、第２の操作レバーの押込部がドラム構体に接近し、ドラム構体を経由して供給されるテーピング部品におけるタグ部品を被装着物に取り付けるように動作すると共に、リンク機構の動作に応じて送りレバー構体の移送手段が一定角度だけ後退するように回転動作し、第１，第２の操作レバーの操作部による相対的な開放動作の際には、第２の操作レバーの押込部がドラム構体から離れるように動作すると共に、リンク機構の動作に応じて送りレバー構体の移送手段がテーピング部品を押しながら一定角度だけ前進動作するように構成したことを特徴とする。
【０００７】
又、本発明の第２の発明は、一端に操作部を有する第１の操作レバーと、一端に操作部を、他端に押込部をそれぞれ有し、かつ第１の操作レバーに一定の角度範囲で回転可能なるように軸支された第２の操作レバーと、第１の操作レバーの他端に固定されたドラム構体と、第１の操作レバーに回転可能なるように軸支され、かつ一端に第２の操作レバーの回転動作に応じて回転が付与される回転付与部を、他端にガイド部をそれぞれ設けた駆動レバーと、駆動レバーに対して立体的な位置関係を有するようにドラム構体に回転可能に軸支され、一端に駆動レバーのガイド部に係合され、駆動レバーの回転動作に応じて回転が付与されるガイドピンを、他端にドラム構体に位置する複数のタグ部品を搭載してなるテーピング部品を一定方向に移送する移送手段をそれぞれ設けた送りレバー構体とを具備し、前記第１，第２の操作レバーの操作部による相対的な閉成動作の際には、第２の操作レバーの押込部がドラム構体に接近し、ドラム構体を経由して供給されるテーピング部品におけるタグ部品を被装着物に取り付けるように動作すると共に、駆動レバーの動作に応じて送りレバー構体の移送手段が一定角度だけ後退するように回転動作し、第１，第２の操作レバーの操作部による相対的な開放動作の際には、第２の操作レバーの押込部がドラム構体から離れるように動作すると共に、駆動レバーの動作に応じて送りレバー構体の移送手段がテーピング部品を押しながら一定角度だけ前進動作するように構成したことを特徴とする。
【０００８】
又、本発明の第３の発明は、一端に操作部を有する第１の操作レバーと、一端に操作部を、他端に押込部をそれぞれ有し、かつ第１の操作レバーに一定の角度範囲で回転可能なるように軸支された第２の操作レバーと、第１の操作レバーの他端に固定されたドラム構体と、第１の操作レバーに回転可能なるように軸支され、かつ一端に第２の操作レバーの回転動作に応じて回転が付与される回転付与部を、他端にガイド部をそれぞれ設けた駆動レバーと、駆動レバーに対して立体的な位置関係を有するようにドラム構体に回転可能に軸支され、一端に駆動レバーのガイド部に係合され、駆動レバーの回転動作に応じて回転が付与されるガイドピンを、他端にドラム構体に位置する複数のタグ部品を搭載してなるテーピング部品を一定方向に移送する移送手段をそれぞれ設けた送りレバー構体と、一端が第１の操作レバーに回転可能なるように軸支された分離部材と、所望部分が第２の操作レバーに回転可能なるように軸支され、軸支部分に近い部分が分離部材の他端部分と回転可能なるように軸支され、先端部分が第２の操作レバーの押込部の回転移動方向と逆方向になるように動作する押上部材と、分離部材及び押上部材の軸支部分と第１の操作レバーとの間に張設されたスプリングとを具備し、前記スプリングのスプリング力に抗した、第１，第２の操作レバーの操作部による相対的な閉成動作の際には、第２の操作レバーの押込部がドラム構体に接近すると同時に分離部材がドラム構体を経由して移送されるテーピング部品のタグ部品間に挿入され、かつ被装着物にタグ部品が、押上部材による押し上げ動作，押込部による押し込み動作によって取り付けられると共に、駆動レバーの動作に応じて送りレバー構体の移送手段が一定角度だけ後退するように回転動作し、第１，第２の操作レバーの操作部による相対的な開放動作の際には、第２の操作レバーの押込部，分離部材，押上部材がそれぞれドラム構体から離れるように動作すると共に、駆動レバーの動作に応じて送りレバー構体の移送手段がテーピング部品を押しながら一定角度だけ前進動作するように構成したことを特徴とする。
【０００９】
又、本発明の第４の発明は、前記ドラム構体が、周面にテーピング部品の移動経路を有する半ドラム状のドラム部材と、ドラム部材の側面に固定された側板と、側板の端部に設けられた送りレバー構体の移送手段をガイドするための開口部と、開口部の後方部分に配置されたテーピング部品の戻り防止用の防止手段とから構成されていることを特徴とする。
【００１０】
又、本発明の第５の発明は、前記第１の操作レバーのドラム構体への固定部分の外側部分に平板状のストッパーを固定し、ドラム構体を経由して移送されるテーピング部品の停止位置を規制するように構成したことを特徴とし、第６の発明は、前記第１の操作レバーに、閉成動作時に第２の操作レバーの押込部とテーピング部品との間隔が適正化されるように第１のストッパーを設けると共に、第２の操作レバーに、開放動作時に第１，第２の操作レバーにおける操作部の間隔が適正な間隔となるように第２のストッパーを設けたことを特徴とし、第７の発明は、前記ドラム構体に複数の防止手段を、ドラム部材の周面に沿うように離隔して配置すると共に、送りレバー構体に複数の移送手段をドラム部材の周面に沿うように離隔して配置したことを特徴とする。
【００１１】
さらに、本発明の第８の発明は、バンドの一端にくさび鋲を、他端にくさび鋲を受け入れるロック機能を有するくさび鋲受部をそれぞれ一体的に形成すると共に、くさび鋲とくさび鋲受部との間のバンド部分に表示部を有するタグを一体的に形成してなる複数のタグ部品を長尺状のテープに整列した状態で接着したことを特徴とし、第９の発明は、前記複数のタグ部品を長尺状のテープに、密着又は１個飛びに整列した状態で接着したことを特徴とする。
【発明の効果】
【００１２】
このように本発明によれば、第１，第２の操作レバーの相対的な開閉動作に連動するリンク機構の動作に関連して、送りレバー構体は一定の角度範囲で回転動作（往復動）し、その際に、ドラム構体に位置するテーピング部品が一定方向に移送され、停止状態にあるテーピング部品のタグ部品は第２の操作レバーの押込部による押し込み動作により蟹の爪などの被装着物に取り付けられる。このように被装着物へのタグ部品の取り付けは、人の手でタグ部品を持つことなく、単に第１，第２の操作レバーを開閉動作させるだけの単純な動作で簡単かつ能率よく行うことができるために、厳冬期に厚手の手袋を着用した状態でも何の支障もなく取り付け作業を遂行できるし、漁船の上で次々と水揚げされる蟹などの海産物に対しても手際よく迅速に取り付けることができる。
特に、本発明装置に適用されるテーピング部品は、複数のタグ部品が長尺状のテープに整列した状態で接着して構成されているために、第１，第２の操作レバーの相対的な開閉動作の度に、一定方向に移送されると共に、それのタグ部品が被装着物に取り付けられる。従って、テーピング部品の長さを長く設定しておけば、タグ部品の被装着物への取り付け作業を長時間に亘って継続的に行うことができる上、単位時間当りの取り付け数も増加させることができ、より能率的な取り付け作業が可能になる。
【００１３】
又、送りレバー構体における移送手段は、第１，第２の操作レバーの相対的な閉成動作に関連してテーピング部品の移送方向とは逆方向に回転動作（後退）し、かつ第１，第２の操作レバーの相対的な開放動作に関連してテーピング部品を、それに搭載されたタグ部品を押しながら一定方向に移送するように構成されている関係で、移送手段が後退動作する際にはテーピング部品はドラム構体上で静止状態を維持している。このために、被装着物への取り付けポジションに位置する静止状態のタグ部品は、第１，第２の操作レバーの相対的な閉成動作に伴う第２の操作レバーの押込部による押し込み動作によって被装着物に容易に取り付けられる。
特に、第２の操作レバーの押込部近辺に静止状態のタグ部品を押し上げるように動作する押上部材を、第１，第２の操作レバーの相対的な閉成動作に関連して押し上げ動作するように配置すれば、第２の操作レバーの押込部及び押上部材の協働作業によってタグ部品の被装着物への取り付けをより確実に行うことができる。
その上、テーピング部品における先頭のタグ部品が停止する部分に、タグ部品の停止用のストッパーを配置すると共に、第２の操作レバーの押込部近辺にテーピング部品における先頭のタグ部品と二番目のタグ部品とが互いに接触しないように分離する分離部材を、第１，第２の操作レバーの相対的な閉成動作に関連して分離動作するように配置すれば、タグ部品の被装着物への取り付けの確実性を一層高めることができる。
【００１４】
又、ドラム構体にはテーピング部品の戻り防止用の防止手段が、ドラム部材の周面に沿い、かつテーピング部材の一定方向への移送動作に支障のないように配置すれば、移送手段が第１，第２の操作レバーの相対的な閉成動作に関連する後退動作にテーピング部品に戻り方向の力が作用しても、防止手段によってテーピング部品の戻りを確実に防止できるのみならず、テーピング部品における先頭のタグ部品の停止位置が一定となるために、タグ部品の被装着物への取り付けを確実に行うことができる。
【００１５】
さらに、第１，第２の操作レバーには第１，第２のストッパーを、第１，第２の操作レバーの相対的な開閉動作時のストロークが適正化されるように配置することができる。例えば第１のストッパーを、第２の操作レバーにおける押込部の押し込みによってタグ部品の取り付けられる被装着物が押し潰しなど損傷されないようなストロークとなるように配置すれば、タグ部品の取り付け時に被装着物の損傷を回避することができる。その上、第２のストッパーを、第１，第２の操作レバーにおける操作部の間隔が片手による開閉操作が行い易いような間隔となるように配置すれば、タグ部品の被装着物への取り付けの際に、手に不所望の動作を課すことがなくなるために、円滑な取り付け作業を行うことができる。
【発明を実施するための最良の形態】
【００１６】
次に、本発明装置の１実施例について図１〜図４を参照して説明する。同図において、本発明装置は、例えば第１の操作レバー１と、第１の操作レバー１に開閉可能なるように軸支された第２の操作レバー１０と、第１の操作レバー１の先端部分に固定されたドラム構体２０と、第１の操作レバー１の先端部分に回転可能なるように軸支された駆動レバー３０と、ドラム構体２０に回転可能なるように軸支され、駆動レバー３０の回転動作に連動して一定の角度範囲内で回転動作（往復動作）する送りレバー構体４０と、第１の操作レバー１に回転可能なるように軸支された分離部材５０と、第２の操作レバー１０に回転可能なるように軸支された押上部材５２と、第１の操作レバー１の先端部分に重ね合わせて固定された板状（平坦状）のストッパー５４とから構成されている。特に、これらの構成要素は互いに二次元或いは三次元（立体）リンク機構によって動作するように構成されている。尚、本発明装置の構成部品は、例えば軽量で塩水などによって腐食しないような樹脂材，ステンレスなどの利用が推奨される。
【００１７】
上述の第１の操作レバー１には、例えば一端に手の親指が入るに充分な大きさの開口部（操作部）２が形成されており、第２の操作レバー１０とは支持部材４によって回転可能なるように軸支されている。第１の操作レバー１には操作部２と支持部材４との間の適当な部分に第１のストッパー３が固定されており、それの先端面が第２の操作レバー１０の端縁部１０ａに当たることにより、第１，第２の操作レバー１，１０の閉成動作時における両者の間隔が適正化されるように配慮されている。又、第１のストッパー３に近い部分には後述するスプリングを支持するピン５が固定されており、第２の操作レバー１０との軸支部分（４）に近い部分には分離部材５０が支持部材６にて回転可能なるように軸支されている。この第１の操作レバー１の他端には板状のストッパー５４が、後述するテーピング部品における先頭のタグ部品の進行を部分的に妨げるような状態となるように重ね合わせてドラム構体２０に固定されている。
第２の操作レバー１０には、例えば一端の端縁部１０ｂに親指以外の指が入るような波形状の操作部１１と、他端にほぼＬ形状の押込部１２とが形成されている。尚、この押込部１２は幅広に構成されているが、別ピースを付設して構成することもできる。又、押込部１２の後端部分には押上部材５２が支持部材１３にて回転可能なるように軸支されている。さらに、第１の操作レバー１との軸支部分に近い部分には第２のストッパー１４が固定されており、それが第１の操作レバー１の端縁部１ａに当たることにより、第１，第２の操作レバー１，１０の開放動作時における両者の間隔が適正化されるように配慮されている。
【００１８】
上述のドラム構体２０は、例えば周面が曲面に構成された半球状のドラム部材２１と、ドラム部材２１の側面に、ドラム部材の周面より突出するように固定された側板２２と、側板２２の端縁部分に円弧状に形成された後述する移送手段のガイド用の開口部２３と、開口部２３の始端側（ストッパー５４から遠く離れた側）に配置されたテーピング部品の戻り防止用の防止手段２４とから構成されている。尚、防止手段２４は、テーピング部品の移送動作時にはそれの移送動作を妨げないように弾性変位するような部材、例えばバネ材で形成することが推奨される。
第２の操作レバー１０の開閉動作に連動する駆動レバー３０は、例えば第１の操作レバー１の他端部及びストッパー５４に支持部材３１によって回転可能なるように軸支されている。それの一端には長孔３２が形成されており、他端には後述する送りレバー構体におけるガイドピンを受け入れ可能なるように構成された、例えばネジなどよりなるガイド部３４，３４が形成されている。尚、長孔３２にはピン３３が挿入され、その先端が第２の操作レバー１０に固定されている。又、長孔３２とピン３３によって回転付与部を構成している。
【００１９】
上述の駆動レバー３０の動作に連動する送りレバー構体４０は、例えば送りレバー４１と、送りレバー４１をドラム部材２１の側面に側板２２を介して回転可能なるように軸支する支持部材４２と、送りレバー４１の一端に、駆動レバーのガイド部３４，３４に係合するように配置されたガイドピン４３と、送りレバー４１の他端に、ドラム構体２０の開口部２３に位置するように配置された移送手段４４とから構成されている。特に、送りレバー４１は駆動レバー３０の動作に連動して一定の角度範囲内で回転動作（往復動作）するように構成されている。尚、ガイドピン４３は、例えばネジを送りレバー４１に固定することによって構成することもできる。又、移送手段４４は、それの後退動作時に、弾性変形してテーピング部品に接触しながら後退するような部材、例えばバネ材で形成することが推奨される。
又、第２の操作レバー１０に軸支された分離部材５０は、例えば扇形状に形成されており、その端縁部５０ａはナイフ状に形成されている。この分離部材５０における扇の要に相当する部分は押上部材５２と共に、互いに回転可能なるように支持部材５１にて軸支されている。そして、この支持部材５１とピン５にはコイル状のスプリング（引っ張りバネ）５５が、第１，第２の操作レバー１，１０における操作部２，１１が常に開放状態となるように配置されている。
【００２０】
次に、本発明装置に適用されるテーピング部品の構成及び組立方法について図５〜図９を参照して説明する。尚、タグ部品Ａは図２０に示すものと同じであるので、その詳細な説明は省略する。
同図において、テーピング部品ＴＡは、例えば一方の面に接着層Ｔａを有する長尺状のテープＴと、テープＴの接着層Ｔａ側に密着して整列した状態で接着された複数のタグ部品Ａとから構成されている。特に、タグ部品Ａは、くさび鋲Ｄのくさび鋲受部Ｅへの挿入動作が安定して遂行されるように、くさび鋲受部Ｅの底部をテープＴに接着するように工夫されている。
上述のテーピング部品ＴＡの組立には、例えば図７〜図８に示す組立冶具６０が使用される。この組立冶具６０は、例えばベース６１と、ベース６１の上に配置されたピン固定板６２と、ピン固定板６２に一定の間隔で植立・固定された複数のピン６３と、複数のピン６３に沿って平行に配置されたＬ形のタグ部品支持板６４とから構成されており、支持板６４にはすべてのピン６３に対応する部分にタグ部品を支持する切欠部６５が形成されている。
この組立冶具６０を用いたテーピング部品ＴＡの組立方法について図９を参照して説明する。まず、タグ部品Ａを図示の実線状態に支持する。そして、図示の二点鎖線のように、くさび鋲受部Ｅをピン６３に挿入すると共にバンドＣ部分を切欠部６５に挿入する。次に、長尺状のテープＴを、接着層Ｔａが下側（くさび鋲受部Ｅ側）となるように支持した後、接着層Ｔａをくさび鋲受部Ｅの底部に押し付けて接着する。次に、タグ部品Ａを組立冶具６０から取り外すことにより組み立てを完了する。
【００２１】
次に、本発明装置の動作について図１０〜図１２を参照して説明する。まず、図１２に示すように、スプリング５５の引っ張り力によって、第１,第２の操作レバー１，１０における操作部２，１１が開放状態の場合には、第２の操作レバー１０の押込部１２はドラム構体２０から充分に離れており、駆動レバー３０，送りレバー構体４０は図示実線の状態にある。そして、スプリング５５のスプリング力に抗して、第１,第２の操作レバー１，１０の操作部２，１１による相対的な閉成動作が開始されると、第２の操作レバー１０の押込部１２がドラム構体２０に接近し始めると共に、ピン３３の回転動作によって駆動レバー３０は支持部材３１を回転軸として図示矢印方向に回転動作する。この際、駆動レバー３０のガイド部３４，３４に係合されたガイドピン４３は、持ち上げられるように動作する。これによって送りレバー構体４０の送りレバー４１も回転動作し始める。
上述の閉成動作が終了すると、図１１に示すように、第２の操作レバー１０の押込部１２はドラム構体２０に接近した適切な位置に停止すると共に、送りレバー構体４０の送りレバー４１は図１２に示すように二点鎖線位置から実線位置まで回転動作する。このように送りレバー４１が一定の角度範囲で回転動作（往復動作）することによって、端部に配置された移送手段４４も同様に動作することになる。
【００２２】
次に、上述の送りレバー構体４０の回転動作を利用したテーピング部品ＴＡの移送動作について図１３を参照して説明する。同図に示すように、テーピング部品ＴＡがドラム構体２０に供給された状態において、第１,第２の操作レバー１，１０の操作部２，１１による相対的な閉成動作が実行されると、この動作に連動して送りレバー構体４０の移送手段４４は図示実線位置から二点鎖線位置まで回転して後退する。この際、移送手段４４はテーピング部品ＴＡのタグ部品Ａ（くさび鋲受部Ｅ）の上に変形して乗り上げながら後退する。後退後において、移送手段４４の先端部分はテーピング部品ＴＡのタグ部品Ａの後ろ側（移送方向に対して後ろ側）に押し当てられる。
この状態において、第１,第２の操作レバー１，１０の操作部２，１１による相対的な開放動作が実行されると、この動作に連動して送りレバー構体４０の移送手段４４は、図示二点鎖線位置から実線位置まで回転・前進する。この際に、移送手段４４はテーピング部品ＴＡのタグ部品Ａを押しながら回転・前進するために、テーピング部品ＴＡも実線で示す図示矢印方向（取付ポジションＰの方向）に移送される。そして、それぞれの操作レバーによる開閉動作の都度、１個ずつ順番に移送される。
尚、移送手段４４が図示実線位置から二点鎖線位置まで回転して後退する時には、テーピング部品ＴＡのタグ部品Ａの後ろ側にドラム構体２０における戻り防止用の防止手段２４の先端部が押し当てられているために、テーピング部品ＴＡが逆方向に戻ることはない。
【００２３】
次に、テーピング部品ＴＡのタグ部品Ａにおけるくさび鋲Ｄのくさび鋲受部Ｅへの挿入・ロック動作（タグ部品Ａの被装着物への取付動作）について図１４〜図１７を参照して説明する。
図１４は、テーピング部品ＴＡにおける先頭のタグ部品Ａ（具体的にはくさび鋲受部Ｅ）が取付ポジションＰに停止している状態を示しており、この状態では第２の操作レバー１０の押込部１２，分離部材５０，押上部材５２はドラム構体（正確には取付ポジションＰに対応する部位）から離れた位置に待機している。
次に、第１,第２の操作レバー１，１０の操作部２，１１による相対的な閉成動作が開始され始めると、図１５に示すように、第２の操作レバー１０の押込部１２，分離部材５０，押上部材５２がドラム構体２０に接近し始め、まず、押上部材５２の先端部５３がタグ部品Ａのバンド部分Ｃに押し当てられる。引き続いて、分離部材５０の先端部５０ａはテーピング部品ＴＡにおける先頭のタグ部品ＡのタグＦと二番目のタグ部品ＡのタグＦとの間に入り込む方向に回転・移動する。
さらに、上述の操作レバー１，１０による閉成動作が進行すると、図１６に示すように、分離部材５０の先端部５０ａはテーピング部品ＴＡにおける先頭のタグ部品ＡのタグＦと二番目のタグ部品ＡのタグＦとの間に入り込み、両部品が接触しないように分離する。一方、押上部材５２の先端部５３がタグ部品Ａの窪み部Ｃａに押し当てられると共に、タグ部品ＡのバンドＣは、押上部材５２によって押し上げられながら肉薄部Ｂから変形（屈曲）し、押込部１２における押込面１２ａでも押し込まれるようになる。この状態において、タグ部品Ａにおけるくさび鋲Ｄの先端部分はくさび鋲受部Ｅに若干挿入されるか、或いは近接状態になる。尚、この段階において、押上部材５２の先端部５３は、タグ部品Ａの窪み部Ｃａ以外のバンド部分に押し当てるようにすることもできる。
そして、上述の操作レバー１，１０による閉成動作が終了すると、図１７に示すように、タグ部品ＡのバンドＣは押込部１２における押込面１２ａによって押し込まれ、くさび鋲Ｄがくさび鋲受部Ｅに挿入・ロックされる。尚、この状態において、タグ部品ＡのタグＦも押し上げられる結果、ストッパー５４によるタグ部品Ａに対する移動規制が自動的に解除されるし、押上部材５２は押込部１２の側部に位置するようになる。
特に、蟹の爪などの被装着物への取り付けは、図１４に示す段階において、被装着物（Ｇ）をタグ部品ＡのバンドＣ，くさび鋲Ｄ，くさび鋲受部Ｅで囲まれる空間部分に配置することによって、最終的に図１７に示すように取り付けられる。取り付けの終了後、上述の操作レバー１，１０による開放動作に伴うテーピング部品ＴＡの移送動作により、被装着物に取り付けられたタグ部品Ａは１ピッチ前進する。この際に、タグ部品ＡをテープＴから引き剥がすことによって、一連の取り付け作業が完全に終了する。
【００２４】
次に、本発明装置の第２の実施例について図１８〜図２０を参照して説明する。この実施例の基本的な構成は、図１〜図４に示す第１の実施例とほぼ同じであり、異なる点は、ドラム構体２０に２つの戻り防止用の防止手段２４，２４ａを互いに前後に１ピッチ分ずれるように配置したことと、送りレバー構体４０に２つの移送手段４４，４４ａを互いに前後に１ピッチ分ずれるように配置したことである。
この装置に適用されるテーピング部品ＴＡは、例えば図２０に示すように、接着層Ｔａを有するテープＴにタグ部品Ａを１歯飛び（１つ飛び）に整列した状態で接着して構成されている。
【００２５】
この装置によるテーピング部品ＴＡの移送動作は、次のように行われる。まず、図１８に示すように、操作レバー１，１０による第１回目の閉成動作を実行すると、この閉成動作に連動して送りレバー構体４０の移送手段４４，４４ａは図示実線位置から点線位置まで回転して後退する。この際、他方の移送手段４４のみがタグ部品Ａの上に乗り上げるように弾性変形しながら回転して後退する。そして、２つの移送手段の内、他方の移送手段４４のみがタグ部品Ａの後ろ側に押し当てられ、一方の移送手段４４ａはフリーの状態になっている。この状態において、２つの防止手段の内、一方の防止手段２４ａのみがタグ部品Ａの後ろ側に押し当てられ、テーピング部品ＴＡの逆方向への戻りを防止している。尚、他方の防止手段２４はフリーの状態になっている。
次に、操作レバー１，１０による第１回目の閉成動作に引き続いて第１回目の開放動作を実行すると、この動作に連動して送りレバー構体４０の移送手段４４，４４ａは図示点線位置から実線位置まで回転・移動する。この際に、他方の移送手段４４がタグ部品Ａを押しながら１ピッチ分だけ回転・前進するために、テーピング部品ＴＡは一定方向（取付ポジションＰ方向）に１ピッチ分だけ移送されると同時に、先頭のタグ部品Ａは、図１９に示すように、取付ポジションＰにまで移送される。テーピング部品ＴＡの移送の際に、他方の防止手段２４は、図１９に示すように、タグ部品Ａの上に乗り上げるように弾性変形し、乗り越えたタグ部品Ａの後ろ側に押し当てられる。この状態において、一方の防止手段２４ａはフリーの状態になっている。
【００２６】
次に、図１９に示すように、操作レバー１，１０による第２回目の閉成動作が実行されると、この動作に連動して送りレバー構体４０の移送手段４４，４４ａは図示実線位置から点線位置まで回転して後退する。この際、一方の移送手段４４ａのみがタグ部品Ａの上に乗り上げるように弾性変形しながら回転して後退する。そして、一方の移送手段４４ａのみがタグ部品Ａの後ろ側に押し当てられ、他方の移送手段４４はフリーの状態になっている。この状態において、他方の防止手段２４のみがタグ部品Ａの後ろ側に押し当てられ、テーピング部品ＴＡの逆方向への戻りを防止している。尚、一方の防止手段２４ａはフリーの状態になっている。
次に、操作レバー１，１０による第２回目の閉成動作に引き続いて第２回目の開放動作を実行すると、この動作に連動して送りレバー構体４０の移送手段４４，４４ａは図示点線位置から実線位置まで回転・移動する。この際に、一方の移送手段４４ａがタグ部品Ａを押しながら１ピッチ分だけ回転・移動するために、テーピング部品ＴＡは一定方向（取付ポジションＰ方向）に１ピッチ分だけ移送される。そして、先頭のタグ部品Ａは、図示しない被装着物に取り付けられて取付ポジションＰから押し出される。テーピング部品ＴＡの移送の際に、一方の防止手段２４ａはタグ部品Ａの上に乗り上げるように弾性変形し、乗り越えたタグ部品Ａの後ろ側に押し当てられる。この状態において、他方の防止手段２４はフリーの状態になっている。
以上の動作を繰り返すことによってタグ部品Ａは１歯飛び（１つ飛び）に取付ポジションＰに移送され、その都度、操作レバー１，１０による閉成動作に連動してタグ部品Ａが蟹の爪などの被装着物（Ｇ）に取り付けられる。
この実施例によれば、テーピング部品ＴＡにはタグ部品Ａが１歯飛び（１つ飛び）に整列して接着されているために、タグ部品間に空間的な余裕が生じ、タグ部品Ａの被装着物への取り付けを簡単かつ容易に行うことができるし、被装着物のサイズにバラツキがあっても容易に対応することができる。
【００２７】
尚、本発明は何ら上記実施例に制約されることなく、本発明の主旨を逸脱しない範囲内において適宜に変更することが可能である。例えば本発明装置に適用されるテーピング部品は、それに搭載される複数のタグ部品を密着又は１歯飛びに整列する他に、２歯飛びなど用途に応じて適宜の形態を採用できる。又、本発明装置において、タグ部品の取付対象は海産物，水産物に制約されない。又、第１，第２のストッパーは第１，第２の操作レバーに別設する他、一体的に設けることもできる。又、第１の操作レバーの端部に別設・配置されているストッパーは第１の操作レバーに一体成形などによって一体的に設けることもできるし、場合によっては省略することも可能である。さらに、スプリングは、コイル状の他に、ほぼＶ形状のトーションバネなども利用できる。
【図面の簡単な説明】
【００２８】
【図１】本発明の１実施例を示す正面図である。
【図２】図１の平面図である。
【図３】図１の右側面図である。
【図４】図１の分解状態の斜視図である。
【図５】本発明にかかるテーピング部品の平面図である。
【図６】図５に示すタグ部品の側面図である。
【図７】図５に示すテーピング部品の組立冶具の平面図である。
【図８】図７の正面図である。
【図９】図５に示すテーピング部品の組立方法を説明する側断面図である。
【図１０】本発明にかかるリンク機構の動作前の状態を示す正面図である。
【図１１】本発明にかかるリンク機構の動作後の状態を示す正面図である。
【図１２】本発明にかかる送りレバー構体の動作状態を示す右側面図である。
【図１３】本発明にかかるテーピング部品の送り動作を説明する側断面図である。
【図１４】本発明装置によるタグ部品の取り付け前の状態を示す正面図である。
【図１５】本発明にかかる押上部材の先端部をタグ部品の窪みに押し当てた状態を示す正面図である。
【図１６】本発明にかかる押上部材及び押込部によってタグ部品のバンド部分を押し、くさび鋲をくさび鋲受部に挿入する直前の状態を示す図である。
【図１７】本発明にかかるタグ部品におけるくさび鋲をくさび鋲受部に挿入・ロックし、取り付けを終了した状態を示す正面図である。
【図１８】本発明の第２の実施例を示し、１回目の送り動作を説明するための側断面図である。
【図１９】図１８に示す状態から２回目の送り動作を説明するための側断面図である。
【図２０】図１８に示す装置に適用されるテーピング部品の平面図である。
【図２１】従来のタグ部品を示す側面図である。
【図２２】図２１の要部断面図である。
【図２３】図２１に示すタグ部品を蟹の爪に取り付けた状態を示す側面図である。
【符号の説明】
【００２９】
１    第１の操作レバー
２    操作部
３    第１のストッパー
１０  第２の操作レバー
１１  操作部
１２  押込部
１４  第２のストッパー
２０  ドラム構体
２１  ドラム部材
２３  開口部
２４  防止手段
２４ａ防止手段
３０  駆動レバー
３３  ピン
３４  ガイド部
４０  送りレバー構体
４１  送りレバー
４３  ガイドピン
４４  移送手段
４４ａ移送手段
５０  分離部材
５２  押上部材
５３  先端部
５４  ストッパー
５５  スプリング
６０  組立冶具
６３  ピン
６４  タグ部品の支持板
Ａ    タグ部品
Ｃ    バンド
Ｃａ  窪み部
Ｄ    くさび鋲
Ｅ    くさび鋲受部
Ｆ    タグ
Ｔ    テープ
ＴＡ  テーピング部品
【図１】
2008105713.tif 000003
【図２】
2008105713.tif 000004
【図３】
2008105713.tif 000005
【図４】
2008105713.tif 000006
【図５】
2008105713.tif 000007
【図６】
2008105713.tif 000008
【図７】
2008105713.tif 000009
【図８】
2008105713.tif 000010
【図９】
2008105713.tif 000011
【図１０】
2008105713.tif 000012
【図１１】
2008105713.tif 000013
【図１２】
2008105713.tif 000014
【図１３】
2008105713.tif 000015
【図１４】
2008105713.tif 000016
【図１５】
2008105713.tif 000017
【図１６】
2008105713.tif 000018
【図１７】
2008105713.tif 000019
【図１８】
2008105713.tif 000020
【図１９】
2008105713.tif 000021
【図２０】
2008105713.tif 000022
【図２１】
2008105713.tif 000023
【図２２】
2008105713.tif 000024
【図２３】
2008105713.tif 000025